(57)【要約】【課題】効率的にランプを取り替えることができるエレベータのかご内照明装置を得る。【解決手段】この発明に係るエレベータのかご内照明装置は、エレベータのかご室の天井に設けられた開口部と、かご室の天井の下面に取り付けられたランプと、ランプの下部に設けられ、ランプを保護する照明板と、を備え、照明板は、照明板上に部分的に配置され、ランプ側に光を反射する反射部を有する。【選択図】図２
2015063366.tif 000002
【特許請求の範囲】
【請求項１】
エレベータのかご室の天井に設けられた開口部と、
前記かご室の天井の下面に取り付けられたランプと、
前記ランプの下部に設けられ、前記ランプを保護する照明板と、を備え、
前記照明板は、前記照明板上に部分的に配置され、前記ランプ側に光を反射する反射部を有する
エレベータのかご内照明装置。
【請求項２】
前記反射部の反射面は、前記開口部からの距離に応じて、互いに異なる傾きを有している
請求項１に記載のエレベータのかご内照明装置。
【請求項３】
前記反射部は、前記照明板上に設けられた補助板の上に配置され、前記補助板を起こすことにより、前記反射部の反射面の傾きが変えられる
請求項１に記載のエレベータのかご内照明装置。
【請求項４】
前記反射部は、土台と、前記土台から延びた軸と、前記軸に対して可動に取り付けられた反射面とから構成される
請求項１に記載のエレベータのかご内照明装置。
【請求項５】
前記かご室の天井の下面は、鏡面状に仕上げられている
請求項１から請求項４までの何れか１項に記載のエレベータのかご内照明装置。
【発明の詳細な説明】
【技術分野】
【０００１】
この発明は、ランプの取り替えを考慮したエレベータのかご内照明装置に関する。
【背景技術】
【０００２】
従来、かご室の天井の下面にランプを装着し、このランプよりも下部に照明板が配設されるように吊天井を構成し、ランプと照明板との間に、光を透過および反射する特性を備えた板状のハーフミラーを配設したエレベータのかご室照明装置が知られている（例えば、特許文献１参照）。
【先行技術文献】
【特許文献】
【０００３】
【特許文献１】特開平６−１８３６７０号公報
【発明の概要】
【発明が解決しようとする課題】
【０００４】
しかしながら、従来技術には、以下のような課題がある。
エレベータの機種によっては、ランプの下部に設けられた照明板を取り外すことができないものがあり、この場合には、かご室の天井の下面に取り付けられたランプを取り替える際に、かごの上（かご室の天井の上）から作業を行う必要がある。
【０００５】
すなわち、このような機種のエレベータでは、かごの上に設けられたふたを開け、開口部から手を入れてランプを取り替えることになる。このとき、かご室の構造上、かご室の天井と照明板との間が狭く、頭を入れてのぞき込むことができないので、ランプのソケット部分等が見えづらかったり、見えなかったりする。
【０００６】
そこで、作業者は、鏡を持参し、鏡を照明板の上に置いて見えない位置にあるランプのソケット部分等を映しながら、ランプを取り替えている。ここで、作業員が鏡を忘れた場合には、手探りでランプを取り替えることになるので、取り替えに時間を要したり、感電の恐れがあったりして、作業効率が低下するという問題がある。
【０００７】
なお、特許文献１に記載されたエレベータのかご室照明装置では、ハーフミラーの光源側の面が鏡面のように仕上げられているが、これは、透過する光を調整して、照明ムラや陰を防止するものである。また、ハーフミラーは、ランプの取り替え時に取り外される。そのため、ハーフミラーは、ランプの取り替えに関して、考慮されるものではない。
【０００８】
この発明は、上記のような課題を解決するためになされたものであり、効率的にランプを取り替えることができるエレベータのかご内照明装置を得ることを目的とする。
【課題を解決するための手段】
【０００９】
この発明に係るエレベータのかご内照明装置は、エレベータのかご室の天井に設けられた開口部と、かご室の天井の下面に取り付けられたランプと、ランプの下部に設けられ、ランプを保護する照明板と、を備え、照明板は、照明板上に部分的に配置され、ランプ側に光を反射する反射部を有するものである。
【発明の効果】
【００１０】
この発明に係るエレベータのかご内照明装置によれば、照明板は、照明板上に部分的に配置され、ランプ側に光を反射する反射部を有している。
これにより、作業者は、鏡を持参することなく、照明板の反射部に映ったランプのソケット部分等を見ながら、ランプを取り替えることができる。
そのため、効率的にランプを取り替えることができる。
【図面の簡単な説明】
【００１１】
【図１】この発明の実施の形態１に係るエレベータのかご内照明装置が適用されたかごを示す断面図である。
【図２】この発明の実施の形態１に係るエレベータのかご内照明装置の照明板を示す構成図である。
【図３】この発明の実施の形態２に係るエレベータのかご内照明装置の照明板の要部を抜粋して示す構成図である。
【図４】この発明の実施の形態２に係るエレベータのかご内照明装置の別の照明板の要部を抜粋して示す構成図である。
【図５】この発明の実施の形態２に係るエレベータのかご内照明装置の反射部を示す構成図である。
【発明を実施するための形態】
【００１２】
以下、この発明に係るエレベータのかご内照明装置の好適な実施の形態につき図面を用いて説明するが、各図において同一、または相当する部分については、同一符号を付して説明する。
【００１３】
実施の形態１．
図１は、この発明の実施の形態１に係るエレベータのかご内照明装置が適用されたかごを示す断面図である。図１において、このエレベータのかご内照明装置は、エレベータのかご１のかご室の天井に設けられた開口部２と、かご室の天井の下面に取り付けられたランプ３と、ランプ３の下部に設けられ、ランプ３を保護する照明板４とを備えている。
【００１４】
ここで、開口部２には、ふた（図示せず）が設けられ、作業者は、ランプ３の取り替え時、ふたを開け、開口部２から手を入れてランプ３を取り替えることになる。また、かご室の天井の下面は、鏡面状に仕上げられている。なお、開口部２やランプ３の位置や数は、図示したものに限定されない。また、ランプ３は、円形や直管型の蛍光灯、電球、ＬＥＤ等、どのようなものでもよい。
【００１５】
図２は、この発明の実施の形態１に係るエレベータのかご内照明装置の照明板４を示す構成図である。なお、ここでは、かご室から天井を見た場合の照明板４を示している。図２において、照明板４は、すりガラス状のアクリル板で構成され、照明板４上に反射部４１が部分的に配置されている。
【００１６】
具体的には、反射部４１は、照明板４上において、格子状に複数設置され、ランプ３側に光を反射する。ここで、反射部４１は、例えばランプ３側の面が鏡面状に仕上げられたステンレス板やアルミ板で構成されている。なお、反射部４１の材質は、これらのものに限定されず、ランプ３側の面が鏡面状に仕上げられたものであれば、どのようなものでもよい。また、反射部４１の構成する模様は、格子状に限定されず、照明板４の全面に設置されていれば、どのようなものでもよい。
【００１７】
これにより、作業者がランプ３を取り替える際に、照明板４の反射部４１に映ったランプ３のソケット部分等を見ながら、ランプ３を取り替えることができる。また、照明板４は、すりガラス状のアクリル板で構成されていることから、光を通しつつ、高いデザイン性を確保することができる。さらに、かご室の天井の下面が鏡面状に仕上げられているので、光の利用効率を向上させることができる。
【００１８】
以上のように、実施の形態１によれば、照明板は、照明板上に部分的に配置され、ランプ側に光を反射する反射部を有している。
これにより、作業者は、鏡を持参することなく、照明板の反射部に映ったランプのソケット部分等を見ながら、ランプを取り替えることができる。
そのため、効率的にランプを取り替えることができる。
【００１９】
実施の形態２．
上記実施の形態１では、反射部４１が、ランプ３側の面が鏡面状に仕上げられたステンレス板やアルミ板で構成されていると説明したが、開口部２からの距離が離れると、反射部４１に映る像を見づらくなる。そこで、この発明の実施の形態２では、開口部２からの距離が離れた場合であっても、反射部４１に映る像を見やすい反射部４１の構造について説明する。
【００２０】
図３は、この発明の実施の形態２に係るエレベータのかご内照明装置の照明板４の要部を抜粋して示す構成図である。図３において、反射部４１の鏡面状に仕上げられた反射面は、開口部２（図１参照）からの距離に応じて、互いに異なる傾きを有している。これにより、開口部２からの距離が離れた場合であっても、作業者が反射部４１に映る像を容易に見ることができる。
【００２１】
図４は、この発明の実施の形態２に係るエレベータのかご内照明装置の別の照明板４の要部を抜粋して示す構成図である。図４において、上記実施の形態１と同様の反射部４１は、照明板４上にさらに設けられた例えばアクリル性の補助板４２の上に配置され、例えばひも４３を引っ張って補助板４２を起こすことにより、反射部４１の反射面の傾きを変えられるようになっている。これにより、開口部２からの距離が離れた場合であっても、作業者が反射部４１に映る像を容易に見ることができる。
【００２２】
図５は、この発明の実施の形態２に係るエレベータのかご内照明装置の反射部４１を示す構成図である。図５において、反射部４１は、土台４４から延びた軸４５に、鏡面状に仕上げられた反射面４６が取り付けられて構成され、反射面４６の傾きが自由に変えられるようになっている。これにより、開口部２からの距離が離れた場合であっても、作業者が反射部４１に映る像を容易に見ることができる。また、反射部４１の設置後に、反射面４６の傾きを変えることもできる。
【符号の説明】
【００２３】
１  かご、２  開口部、３  ランプ、４  照明板、４１  反射部、４２  補助板、４４  土台、４５  軸、４６  反射面。
【図１】
2015063366.tif 000003
【図２】
2015063366.tif 000004
【図３】
2015063366.tif 000005
【図４】
2015063366.tif 000006
【図５】
2015063366.tif 000007